(57)【特許請求の範囲】
【請求項１】
並設されている導体が一対の縦ダクトで側方から挟持され、該縦ダクトを該導体厚さ方向に貫通して一括緊締する締着具が該導体長さ方向に適宜間隔で配置されているバスダクトの締着構造に於いて、
少なくとも片側の該縦ダクトに外向きの中空凸部が設けられ、
該中空凸部は、該導体幅方向に長辺を有する平面視略長方形で形成され、
該中空凸部の凸側から該締着具を緊締して該バスダクトを締着し、
該中空凸部の元部に締着力が掛けられることを特徴とするバスダクトの締着構造。
【請求項２】
前記中空凸部の高さは、前記縦ダクトの板厚以下であることを特徴とする請求項１記載のバスダクトの締着構造。
【請求項３】
前記導体幅方向に対向配置されている絶縁スペーサが前記一対の縦ダクトで挟持されていると共に、前記中空凸部の導体幅方向両外端縁が該絶縁スペーサの導体幅方向両内面より外方に配置されていることを特徴とする請求項１又は２記載のバスダクトの締着構造。
【請求項４】
前記導体幅方向に最外側となるように対向配置されている横ダクトが前記一対の縦ダクトで挟持されていると共に、前記中空凸部の導体幅方向両外端縁が該横ダクトの導体幅方向両内面より外方に配置されていることを特徴とする請求項１〜３の何れかに記載のバスダクトの締着構造。
【請求項５】
前記横ダクトは、断面略ロ字形で端部に開口部を有し、該開口部にカバー部材を設けることを特徴とする請求項４記載のバスダクトの締着構造。
【請求項６】
前記カバー部材は、カバー部分である基部と、前記横ダクトに嵌合する凸形の嵌合部と、絶縁スペーサの機能を有し且つ締着具を挿通可能な挿通孔が穿設されたスペーサ部とが一体的に形成されていることを特徴とする請求項５記載のバスダクトの締着構造。
【請求項７】
前記中空凸部の導体幅方向両内端縁が前記導体の導体幅方向両端縁より内方に配置されていることを特徴とする請求項１乃至６の何れかに記載のバスダクトの締着構造。
【発明の詳細な説明】
【０００１】
【発明の属する技術分野】
本発明は被締着物の締着構造に係り、座金を介することなく締着力を維持することができる被締着物の締着構造及びその締着構造を利用するバスダクトの締着構造に関する。
【０００２】
【従来の技術】
従来、バスダクトの側板等を締着する締着構造に関して、例えば実用新案登録第２５６４７０２号に開示されているように、密接して並設された複数条の絶縁ブスバーの列の両側面に側板を当接し、前記側板間を前記絶縁ブスバーの端縁よりも外側においてバスダクト長手方向に適宜間隔で分布するボルトナットによって緊締するに際し、前記各ボルトの頭部と前記側板との間並びに前記各ナットと前記側板との間には、その外周縁が前記絶縁ブスバーにおける平型導体の端縁よりも中心線側に位置する大径のワッシャーをそれぞれ介在されたバスダクトの締着構造がある。
【０００３】
また、別の被締着物の締着構造に関連して、例えば特開昭５７−３３２１１号に開示されているように、セレションボルトの組み付けに際して板材に貫通孔が形成されている膨出部を設け、前記膨出部を押し潰すことにより、ボルトに設けられたセレション部と貫通孔を圧着して固定するものがある。
【０００４】
【発明が解決しようとする課題】
しかし、実用新案登録第２５６４７０２号の従来技術は、締着具であるボルトとバスダクト側板との間、及びナットとバスダクト側板との間にワッシャーを介在するため、締着時にワッシャーにボルトを挿通する作業が必然的に要求され、組み立て作業が面倒であるという不具合を生じていた。
【０００５】
また、特開昭５７−３３２１１号の従来技術は、膨出部を押し潰すことによってセレション部と貫通孔を圧着して固定するものであるため、一旦締着した後には取り外しが困難であると共に、締着時に所定範囲の締着力を掛けることができず、板材間に挟持されるものが存在する場合に強固に挟持することが困難であるという不具合を生じていた。
【０００６】
本発明は上記不具合を解消するためになされたものであって、取付及び取外自在で締着作業を容易化することができると共に、板材間に介在する被締着物を強固に挟持するなど被締着物を強固に締着することが可能な被締着物の締着構造、及びそれを利用したバスダクトの導体を側板で挟持する際の締着構造を提供することを目的とする。
【０００７】
【課題を解決するための手段】
本発明の被締着物の締着構造は、外向きの中空凸部が設けられている締着部を少なくとも被締着物の片側に配設し、該中空凸部の凸側から締着具を緊締して被締着物を締着し、該中空凸部の元部に締着力が掛けられることを特徴とする。上記被締着物の締着構造は、例えば前記締着具がボルト及びナットからなると共に、前記中空凸部の略中央に締着具挿通孔が穿設され、且つ該中空凸部の外周は該ボルトの頭部外周及び該ナットの外周より大きく形成されており、該ボルトを該締着具挿通孔に挿通して該ナットに螺合することで前記被締着物を締着するものである。前記締着部は平板状とし、前記中空凸部は絞り成形で形成すると好適である。
【０００８】
また、本発明のバスダクトの締着構造は、並設されている導体が一対の縦ダクトで側方から挟持され、該縦ダクトを該導体厚さ方向に貫通して一括緊締する締着具が該導体長さ方向に適宜間隔で配置されているバスダクトの締着構造に於いて、少なくとも片側の該縦ダクトに外向きの中空凸部が設けられ、該中空凸部は、該導体幅方向に長辺を有する平面視略長方形で形成され、該中空凸部の凸側から該締着具を緊締して該バスダクトを締着し、該中空凸部の元部に締着力が掛けられることを特徴とする。また、本発明のバスダクトの締着構造は、前記中空凸部の高さが、前記縦ダクトの板厚以下であることを特徴とする。
【０００９】
さらに上記バスダクトの締着構造は、前記締着具がボルト及びナットからなると共に、前記中空凸部の略中央に締着具挿通孔が穿設され、且つ該中空凸部の外周は該ボルトの頭部外周及び該ナットの外周より大きく形成されており、該ボルトを該締着具挿通孔に挿通して該ナットに螺合することで前記バスダクトを締着することを特徴とする。
【００１０】
さらに上記バスダクトの締着構造は、前記導体幅方向に対向配置されている絶縁スペーサが前記一対の縦ダクトで挟持されていると共に、前記中空凸部の導体幅方向両外端縁が該絶縁スペーサの導体幅方向両内面より外方に配置されていることを特徴とする。
【００１１】
さらに上記バスダクトの締着構造は、前記導体幅方向に最外側となるように対向配置されている横ダクトが前記一対の縦ダクトで挟持されていると共に、前記中空凸部の導体幅方向両外端縁が該横ダクトの導体幅方向両内面より外方に配置されていることを特徴とする。また、本発明のバスダクトの締着構造は、前記横ダクトが、断面略ロ字形で端部に開口部を有し、該開口部にカバー部材を設けることを特徴とする。また、本発明のバスダクトの締着構造は、前記カバー部材が、カバー部分である基部と、前記横ダクトに嵌合する凸形の嵌合部と、絶縁スペーサの機能を有し且つ締着具を挿通可能な挿通孔が穿設されたスペーサ部とが一体的に形成されている構成であることを特徴とする請求項５記載のバスダクトの締着構造。
【００１２】
さらに上記バスダクトの締着構造は、前記中空凸部の導体幅方向両内端縁が前記導体の導体幅方向両端縁より内方に配置されていることを特徴とする。
【００１３】
【作用】
本発明の被締着物の締着構造は、締着部に設けられている中空凸部の凸側から締着具を緊締して被締着物を締着し、前記中空凸部の元部に締着力が掛けられるので、締着具の緊締時にワッシャー等の介在物を必要とせず、強固に緊締することが可能となる。そして、締着部間に介在する被締着物を挟持する場合等に特に有効であり、前記被締着物を強固に挟持することができる。
【００１４】
さらに、締着具をボルト及びナットにし、中空凸部の外周をボルトの頭部外周及びナットの外周より大きく形成して、中空凸部の略中央に穿設された締着具挿通孔からボルトを挿通する等で締着する場合には、広範囲に亘って締着力を掛けることが可能となる。加えて平板状の締着部を用い、中空凸部を絞り成形によって形成すると、中空凸部の形成を容易に行うことができると共に、製造コストを削減できる。
【００１５】
また、複数並設されている導体を側方向から縦ダクト（側板）で挟持するバスダクトで上記締着構造を行う場合、前記縦ダクトを上記締着部にして締着するので、縦ダクト間に介在する導体を強固に保持することが可能になる。加えて、締着具をボルト及びナットにし、中空凸部の外周をボルトの頭部外周及びナットの外周より大きく形成して、中空凸部の略中央に穿設された締着具挿通孔からボルトを挿通する等で締着する場合には、広範囲に亘って締着力を掛けることができる。
【００１６】
そして、上記締着構造のバスダクトにおいて、導体幅方向に絶縁スペーサを介在し、導体の側方向から縦ダクトで導体及び絶縁スペーサを挟持すると、縦ダクト間に介在する導体及び絶縁スペーサを強固に保持できると共に、絶縁スペーサによって導体を導体幅方向から支持することができるため、導体をより正確な位置で固定することが可能になる。なお前記縦ダクトによって導体の挟持、或いは導体及び絶縁スペーサの挟持をする構造で、縦ダクトの形状によって導体幅方向両端に開口部が形成される場合には、開口部に横ダクトを被覆する等の構造にすると好適である。
【００１７】
さらに、絶縁スペーサを使用する場合に、中空凸部の導体幅方向両外端縁が絶縁スペーサの導体幅方向両内面より外方に配置されるようにすると、中空凸部の外方の元部にかかる締着力が絶縁スペーサに有効に掛かり、バスダクトの側板の変形を未然に防げると共に、絶縁スペーサを強固に保持することができる。
【００１８】
また、上記締着構造のバスダクトにおいて、導体幅方向に横ダクトを介在し、導体の側方向から縦ダクトで導体及び横ダクトを挟持すると、縦ダクト間に介在する導体及び横ダクトを強固に保持すること等が可能になり、且つ前記横ダクトを被覆する構造よりもバスダクトの組立時の部品点数を減らすことができる。
【００１９】
さらに、横ダクトを縦ダクトによって挟持する場合に、中空凸部の導体幅方向両外端縁が横ダクトの導体幅方向両内面より外方に配置されるようにすると、中空凸部の外方の元部にかかる締着力が横ダクトに有効に掛かり、バスダクトの側板の変形を未然に防げると共に、横ダクトを強固に保持することができる。
【００２０】
また、上記バスダクトの締着構造において、中空凸部の導体幅方向両内端縁を導体の導体幅方向両端縁よりも内方に、即ち導体の中心方向になるようにすることで、中空凸部の中心側元部の締着力が導体に有効に掛かり、バスダクトの側板の変形を未然に防げると共に、導体を強固に保持することができる。
【００２１】
【発明の実施の形態】
以下、本発明による被締着物の締着構造及びバスダクトの締着構造について図における具体的な実施形態に基づいて説明する。図１は本発明による被締着物の締着構造を説明する斜視図である。
【００２２】
図１に於ける締着構造は、平面視略方形の中空凸部１ａが側面に形成されている板状の締着部１を一対有し、中空凸部１ａの略中央には締着具挿通孔１ｂが穿設され、その根本の部分は元部１ｃである。中空凸部１ａの外周はボルト２ａの頭部外周及びナット２ｂの外周より大きく形成されている。なお中空凸部１ａの形状は平面視略方形に限定されず適宜であり、また絞り成形で形成する場合には板厚以上で形成することが困難で且つ破断する恐れがあることから、中空凸部１ａの高さは板状の締着部１の板厚と同等以下にすることが好ましい。
【００２３】
各締着部１・１は、中空凸部１ａ・１ａの凸側を上下方向で外向きにして、略中央に締着具挿通孔３ａを穿設されている板状の被締着物３を両側から挟持するように対向して配設されており、更に各締着部１の外方にはそれぞれ締着具２であるボルト２ａとナット２ｂが配設されている。締着時には締着部１・１間に被締着物３を介在して挟み込み、一方の締着部１の中空凸部１ａの凸側からボルト２ａを締着具挿通孔１ｂ、３ａ、１ｂの順に挿通し、他方の締着部１の中空凸部１ａの凸側に配置されているナット２ｂにボルト２ａを螺合して緊締し、締着部１・１で被締着物３を挟持して締着する構成である。
【００２４】
上記締着構造はワッシャーを介さずに締着するもので、挟持する締着部１の外側面に形成された外向きの中空凸部１ａがワッシャーの代わりになる。即ち、ボルト２ａの頭部下面からの締着力が中空凸部１ａの全面に掛かり、この全面に掛かる締着力が中空凸部１ａの元部１ｃに掛かり、この元部１ｃに掛かる締着力が介在する被締着物３に掛かることになるので、ボルト２ａ及びナット２ｂのみで締着するよりも広範囲に締着力が掛かり、被締着物３を強固に挟持して締着することが可能になる。また、ワッシャーを介在させる必要がないため、部品点数が減り、組立作業が簡略化され、細かい作業を省略することが可能となり、最終的に製造コストの削減につながる。
【００２５】
次に、本発明によるバスダクトの締着構造について説明する。図２は本発明の締着構造を用いた第一実施形態のバスダクトを示す斜視図、図３は本発明の締着構造を用いた第一実施形態のバスダクトを示す縦断面図、図４は図３の締着箇所を示す部分断面図、図５は本発明の締着構造を用いた第一実施形態のバスダクトを示す部分側面図、図６は本発明の締着構造を用いた第一実施形態のバスダクトを示す分解斜視図、図７は図６のカバー部材の部分斜視図である。
【００２６】
図２乃至図７に於ける第一実施形態の締着構造は、オフィスビル等で電気幹線路を構成するバスダクトの締着構造であり、バスダクト１０は主として絶縁被覆されている三線並設された導体１１の上下に横ダクト１２・１２を設け、導体１１及び横ダクト１２・１２を挟持するように一対の縦ダクト１３・１３が配設されており、縦ダクト１３の導体長さ方向には上部及び下部に適宜間隔で根本部分を元部１３ｃとする中空凸部１３ａが外向きに形成され、中空凸部１３ａの略中央には締着具挿通孔１３ｂが穿設されている。締着具挿通孔１３ｂにはボルト１５ａが挿通され、ボルト１５ａとナット１５ｂとからなる締着具１５で緊締されることになる。
【００２７】
横ダクト１２・１２は断面ロ字形のパイプ状で端部に開口部１２ａを有し、断面ロ字形の横ダクト１２・１２の側面と並設されている導体の最外側面とが略同一平面になっている。横ダクト１２・１２の断面形状は略コ字形であってもよいが、強度面を考慮すると断面ロ字形、或いは断面方形等で内部に空間を有しない形状であるものが好ましい。
【００２８】
本実施形態のように横ダクト１２・１２を断面ロ字形に形成する場合にはバスダクト１０の端縁部において横ダクト１２・１２の端部に、粉塵等の入り込みを防止するためのカバー部材１４を設けることが望ましい。カバー部材１４は絶縁スペーサの機能を兼用しており、図６及び図７に示す形状である。即ち、カバー部分である基部１４ａに凸形の嵌合部１４ｂと、絶縁スペーサの機能を有し、且つ締着具を挿通可能な挿通孔１４ｃが穿設されているスペーサ部１４ｄとが一体形成されているものである。
【００２９】
基部１４ａは平面視略方形に形成され、その幅は横ダクト１２の幅とほぼ同じである。そして、バスダクト１０を組み立てた際に、導体１１の幅方向両端縁と横ダクト１２の導体１１の幅方向両内面との間の空間及び横ダクト１２の開口部１２ａを塞ぐ程度の大きさを有している。凸形の嵌合部１４ｂは、バスダクト１０の端部に於いて断面ロ字形の横ダクト１２の開口部１２ａに挿入可能に形成されていると共に、その略中央部に凹部１４ｂ１が設けられており、嵌合部１４ｂは開口部１２ａの内径と同じか或いは僅かに小さい略相似形の平面視略ロ字形に形成されている。嵌合部１４ｂは横ダクト１２の開口部１２ａに嵌合可能なものであればよく、例えば嵌合部１４ｂ自体に可撓性を持たせ、横ダクト１２の開口部１２ａに挿入しやすい構成にすることも可能である。
【００３０】
スペーサ部１４ｄは基部１４ａから導体１１の長さ方向に突出する直方体であり、導体１１の厚さ方向に貫通する挿通孔１４ｃが穿設されている。スペーサ部１４ｄの嵌合部１４ｂ側の面は、カバー部材１４を横ダクト１２の開口部１２ａに挿入した際に、横ダクト１２の導体１１側の端面に接するように構成され、且つスペーサ部１４ｄの導体１１側の面は、バスダクト１０を組み立てた際に、導体１１の幅方向端縁に接するか、或いはその近傍に位置するようになっている。
【００３１】
上記カバー部材１４を設けることにより、縦ダクト１３と横ダクト１２をより強固に保持することが可能になる。即ち、スペーサ部１４ｄに設けられている挿通孔１４ｃに縦ダクト１３の締着具挿通孔１３ｂからボルト１５ａが挿入されて緊締されるため、縦ダクト１３とカバー部材１４は締着具１５を介して強固に保持されている。加えて、嵌合部１４ｂを介してカバー部材１４と横ダクト１２が保持されるため、全体的に強固に保持されている構成になる。
【００３２】
なお本実施形態ではカバー部材１４をバスダクトユニットの導体長さ方向の両端部にのみ設ける構成としたが、これに限定されるものではなく、例えばスペーサ部１４ｄのみからなる絶縁スペーサを、バスダクトユニットの導体長さ方向で締着具１５が取り付けられる箇所において、適宜間隔に配設するようにしてもよく、これにより導体１１を幅方向から支持することができ、組立時に正確な位置で導体１１及び横ダクト１２を支持することが可能となる。
【００３３】
また、所定箇所に中空凸部１３ａが形成されている縦ダクト１３には、図３及び４に示すように、導体１１の幅方向両端縁が外側方向に略直角に屈曲している第一補強片１３ｄと、第一補強片１３ｄの端縁が導体幅方向に略直角に屈曲し、且つその端縁が互いに向かい合っている第二補強片１３ｅが形成されている。縦ダクト１３に第一補強片１３ｄ、第二補強片１３ｅ等の補強片を形成することにより、バスダクト１０自体の強度が増し、短絡時等の変形を未然に防止することができる。
【００３４】
そして、上記バスダクト１０を組み立てる場合には、並設されている導体１１の幅方向に、導体１１の長さ方向両端部にカバー部材１４を嵌合した横ダクト１２を対向配置する。この状態で導体１１の厚さ方向から一対の縦ダクト１３によって挟持し、ボルト１５ａを中空凸部１３ａの締着具挿通孔１３ｂに挿通して締着具１５で一括緊締することによりバスダクト１０（バスダクトユニット）を組み立てる。この際に、導体１１の幅方向両端縁にカバー部材１４のスペーサ部１４ｄを接触させることで横ダクト１２は最適位置で保持され、また横ダクト１２の外側両端面は、縦ダクト１３の第一補強片１３ｄと略同一平面上になって配置される。
【００３５】
組み立てられたバスダクト１０では、図３乃至図５に示すように、縦ダクト１３の中空凸部１３ａの中心側に位置する内側元部１３ｃ１は、導体１１の導体幅方向両端縁よりも中心側に位置するように配置され、且つ中空凸部１３ａの外側元部１３ｃ２は、横ダクト１２の中心端面よりも外側に位置するように配置されている。中空凸部１３ａの元部１３ｃ１、１３ｃ２の位置を上記構成にすることで、中空凸部１３ａの山部に締着具１５の締着力が掛かり、この中空凸部１３ａに掛かる締着力は中空凸部１３ａの元部１３ｃ１、１３ｃ２に掛かる。そして、中空凸部１３ａの元部１３ｃに掛かる締着力によって、内側元部１３ｃ１は導体１１を、外側元部１３ｃ２は横ダクト１２を強固に挟持することになる。
【００３６】
次に、本発明の締着構造の他の実施形態について説明する。即ち、本発明は上記第一実施形態に限定されるものではなく、以下のような拡張及び変形をすることが可能である。図８は本発明の締着構造を用いた第二実施形態のバスダクトを示す縦断面図である。
【００３７】
図８に於けるバスダクト１０には、第一実施形態で用いられている横ダクト１２が設けられておらず、その代わりに絶縁被覆導体１１の幅方向に絶縁スペーサ１６が対向配置されている。また、縦ダクト１３は導体１１の厚さ方向に屈曲している屈曲片１３ｆが形成されている断面略コ字形であり、その上部及び下部にそれぞれ締着具挿通孔１３ｂが穿設された中空凸部１３ａが形成されている。中空凸部１３ａは導体１１の長さ方向の所定箇所に設けられている。締着具１５は上記第一実施形態と同様に、ボルト１５ａ及びナット１５ｂである。
【００３８】
そして、上記バスダクト１０では、複数並設されている導体１１の両側から一対の縦ダクト１３・１３がその屈曲片１３ｆ・１３ｆを互いに向き合うように配置され、絶縁被覆導体１１及び絶縁スペーサ１６を被覆するように挟持しており、ボルト１５ａとナット１５ｂによって緊締され、緊締された状態で屈曲片１３ｆ・１３ｆ同士は接触している。さらに中空凸部１３ａの導体１１幅方向両外端縁である外側元部１３ｃ２が絶縁スペーサ１６の導体１１幅方向両内面よりも外方に配置され、中空凸部１３ａの導体１１幅方向両内端縁である内側元部１３ｃ１は、第一実施形態と同様に、導体１１の導体幅方向両端縁よりも中心方向である内方に配置されるように構成されている。
【００３９】
上記第二実施形態のバスダクトの締着構造を使用することにより、導体１１及び絶縁スペーサ１６を強固に挟持することができると共に、絶縁被覆導体１１を導体幅方向から支持することが可能となり、バスダクト１０の組立作業時に、導体１１を正確な位置に配置することができる。
【００４０】
また、本発明の締着構造の第三実施形態について説明する。図９は本発明の締着構造を用いた第三実施形態のバスダクトを示す斜視図、図１０は本発明の締着構造を用いた第三実施形態のバスダクトを示す縦断面図である。
【００４１】
図９及び図１０の実施形態に於けるバスダクト１０は、第二実施形態のバスダクト１０と縦ダクト１３の形状が異なると共に、横ダクト１２を絶縁スペーサ１６に対して導体１１の幅方向から被覆しているものである。
【００４２】
即ち、並設されている絶縁被覆導体１１の幅方向には導体長さ方向に所定間隔で或いは連続して絶縁スペーサ１６が設けられ、断面略コ字形の一対の縦ダクト１３・１３は第二実施形態とは逆向きの姿態で屈曲片１３ｇ・１３ｇが互いに離反するように配置され、縦ダクト１３・１３は絶縁被覆導体１１及び絶縁スペーサ１６を挟持しており、中空凸部１３ａの締着具挿通孔１３ｂに挿通されたボルト１５ａとナット１５ｂで緊締されている。また、導体１１の長さ方向に於ける絶縁スペーサ１６・１６間など導体幅方向に形成されている開口や露出されている絶縁スペーサ１６を被覆するために、断面略コ字形の横ダクト１２が配設されており、絶縁スペーサ１６、前記開口及び屈曲片１３ｇが被覆されている状態で横ダクト１２は屈曲片１３ｇにビスなどで固定されている。
【００４３】
そして、第二実施形態の場合と同様に、中空凸部１３ａの導体１１幅方向両外端縁である外側元部１３ｃ２が絶縁スペーサ１６の導体１１幅方向両内面よりも外方になるように配置され、中空凸部１３ａの導体１１幅方向両内端縁は導体１１の導体幅方向両端縁よりも内方の中心方向になるように配置されている。
【００４４】
上記第三実施形態のバスダクトの締着構造を使用することにより、絶縁被覆導体１１を幅方向からも支持することができると共に、絶縁スペーサ１６及び絶縁被覆導体１１を強固に挟持することが可能となる。また、縦ダクト１３・１３間からの粉塵の侵入を未然に防止することが可能となる。
【００４５】
尚、上記第一、第二及び第三実施形態では主としてバスダクト１０の縦ダクト１３の締着構造について説明しているが、本発明の締着構造はこれに限定されるものではなく、様々な被締着物に関しての締着に使用することが可能である。特に被締着物を両側から一括して挟持するものの締着に有効であるが、中空凸部１ａ、１３ａが形成されている締着部１或いは縦ダクト１３を片側にのみ設けて締着することも可能である。
【００４６】
また、上記実施形態のバスダクト１０は三線式のバスダクト１０について説明したが、これに限定されるものではなく、二線式、或いは四線式以上のものに対しても使用することが可能である。さらにバスダクト１０に使用する場合であっても、上記実施形態の構成のバスダクト１０に限定されるものではない。
【００４７】
また、締着具２、１５による締着構造として、中空凸部１ａ、１３ａの形状を平面視略長方形に形成する場合について説明したが、中空凸部１ａ、１３ａの平面形状、中空凸部１ａ、１３ａの厚さ等は上記実施形態に限定されるものではない。
【００４８】
【発明の効果】
本発明による被締着物の締着構造は、ワッシャーを使用する必要がなく部品点数を削減でき、さらには取付及び取外自在で締着作業を簡略化できると共に、締着部品などの製造コストを削減できる効果を有する。加えて、板材間に介在する被締着物を強固に挟持できるなど被締着物を強固に締着することができる。
【００４９】
そして、上記締着構造をバスダクトに用いた本発明によるバスダクトの締着構造は、縦ダクト間に介在する導体、絶縁スペーサ、横ダクト等を強固に挟持することができると共に、分解等の作業も容易に行うことが可能である。
【図面の簡単な説明】
【図１】本発明による被締着物の締着構造を説明する斜視図。
【図２】本発明の締着構造を用いた第一実施形態のバスダクトを示す斜視図。
【図３】本発明の締着構造を用いた第一実施形態のバスダクトを示す縦断面図。
【図４】図３の締着箇所を示す部分断面図。
【図５】本発明の締着構造を用いた第一実施形態のバスダクトを示す部分側面図。
【図６】本発明の締着構造を用いた第一実施形態のバスダクトを示す分解斜視図。
【図７】図６のカバー部材の部分斜視図。
【図８】本発明の締着構造を用いた第二実施形態のバスダクトを示す縦断面図。
【図９】本発明の締着構造を用いた第三実施形態のバスダクトを示す斜視図。
【図１０】本発明の締着構造を用いた第三実施形態のバスダクトを示す縦断面図。
【符号の説明】
１ 締着部
１ａ、１３ａ 中空凸部
１ｂ、１３ｂ 締着具挿通孔
１ｃ、１３ｃ 元部
２、１５ 締着具
２ａ、１５ａ ボルト
２ｂ、１５ｂ ナット
３ 被締着物
３ａ 締着具挿通孔
１０ バスダクト
１１ 導体
１２ 横ダクト
１３ 縦ダクト
１４ カバー部材
１６ 絶縁スペーサ
【図１】
0004475712.tif 000002
【図２】
0004475712.tif 000003
【図３】
0004475712.tif 000004
【図４】
0004475712.tif 000005
【図５】
0004475712.tif 000006
【図６】
0004475712.tif 000007
【図７】
0004475712.tif 000008
【図８】
0004475712.tif 000009
【図９】
0004475712.tif 000010
【図１０】
0004475712.tif 000011